【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
メダル装入口とメダル排出口とを備えたメダル収納部と、引金とが、発射装置本体に設けられ、メダルの一部が引掛かるスピン付与部が、前記メダル収納部のメダル排出口近傍に設けられ、前記引金の引操作により、前記メダル排出口におけるメダル面を略直角方向に加撃するメダル加撃機構が、前記発射装置本体に設けられたことを特徴とするメダル旋回発射装置。
【請求項２】
前記メダル収納部には、複数枚のメダルを収納しうるメダル通路が、前記メダル装入口からメダル排出口に亘り直線に形成され、
前記メダル装入口からメダル排出口に向う前記メダル通路の長手方向が、下方へ傾斜するとともに、該メダル通路の巾方向が、略水平に指向したことを特徴とする請求項１記載のメダル旋回発射装置。
【請求項３】
前記発射装置本体は、鉛直線を中心として左右へ揺動自在に枢支されたことを特徴とする請求項１または請求項２記載のメダル旋回発射装置。
【請求項４】
前記メダル加撃機構は、
前記メダル排出口におけるメダル面の略中心部を加撃するように前記発射装置本体に枢着された加撃片と、
該加撃片の加撃端を前記メダル排出口におけるメダル面の略中心部に付勢する加撃付勢部材と、
前記引金を、所定限度迄引いた状態では、該加撃付勢部材の付勢力に逆い前記加撃片を後退させ、前記引金を、前記所定限度を越えて引いた際に、前記加撃片と引金との連結を断ち、前記加撃付勢部材の付勢力でもって前記メダル排出口におけるメダル面の略中心部に、前記加撃片の加撃端を加撃させる引金発動手段とからなることを特徴とする請求項１乃至請求項３いずれか記載のメダル旋回発射装置。
【請求項５】
前記引金には、該引金の引き操作に対抗する復元力を与える引金スプリングが付設されるとともに、
該引金スプリングのバネ力に逆い、前記引金を引いて、前記引金発動手段が発動する迄は、前記引金スプリングのバネ力による引金の戻りを阻止し、該引金発動手段が発動した際には、前記引金スプリングのバネ力により前記引金を引金操作以前の位置に復帰させることができる引金節度手段が設けられたことを特徴とする請求項４記載のメダル旋回発射装置。
【請求項６】
前記引金に何等の引金操作力が働かない状態で、前記加撃片の加撃端はメダル収納部底面から前記メダル排出口には突出したにように該加撃片に接してバネ力を加える弾性部材が設けられたことを特徴とする請求項４または請求項５いずれか記載のメダル旋回発射装置。
【請求項７】
請求項１乃至請求項６いずれか記載のメダル旋回発射装置と、
前記メダル旋回発射装置から発射されて立った状態で旋回するメダルを支持するプレー面部材と、
前記プレー面部材の所定の目標箇所に前記メダルが到達したことを検出する検出手段とを備えたことを特徴とするメダルゲーム機。
【請求項８】
請求項７記載のメダルゲーム機は、
前記プレー面部材上に載置されるメダルを除去するメダル除去機構が設けられたことを特徴とするメダルゲーム機。
【請求項９】
メダルを発射し、該メダルを立てた状態で鉛直線を中心に旋回させるメダル旋回発射装置と、
前記メダル発射装置により発射され、立てた状態で鉛直線を中心に旋回するメダルを支持するプレー面部材と、
前記プレー面部材の所定の目標箇所に前記メダルが到達したことを検出する検出手段とを備えたことを特徴とするメダルゲーム機。
【手続補正２】
【補正対象書類名】明細書
【補正対象項目名】０００１
【補正方法】変更
【補正の内容】
【０００１】
【発明の属する技術分野】
本出願発明は、メダル（円板状のものを示す）を用いてゲームを行なうためのメダル旋回発射装置と、該メダル旋回発射措置を用いたメダルゲーム機に関するものである。
【手続補正３】
【補正対象書類名】明細書
【補正対象項目名】０００６
【補正方法】変更
【補正の内容】
【０００６】
【課題を解決するための手段および効果】
本出願発明は、このような不具合を解消したメダル旋回発射装置の発明に係り、メダル装入口とメダル排出口とを備えたメダル収納部と、引金とが、発射装置本体に設けられ、メダルの一部が引掛かるスピン付与部が、前記メダル収納部のメダル排出口近傍に設けられ、前記引金の引操作により、前記メダル排出口におけるメダル面を略直角方向に加撃するメダル加撃機構が、前記発射装置本体に設けられたことを特徴とするものである。
【手続補正４】
【補正対象書類名】明細書
【補正対象項目名】０００７
【補正方法】変更
【補正の内容】
【０００７】
請求項１記載の発明は、前記したように構成されているので、メダル収納部のメダル装入口にメダルを装入し、引金を引くと、メダル排出口近傍に設けられたスピン付与部にメダルの一部が引掛けられたメダルのメダル面に、メダル加撃機構が略直角に加撃し、メダルが旋回された状態で発射される。
【手続補正５】
【補正対象書類名】明細書
【補正対象項目名】０００８
【補正方法】変更
【補正の内容】
【０００８】
また、請求項２記載のように構成することにより、メダル装入口に装入されたメダルは、メダル巾方向を水平に向けた状態で直線状のメダル通路内をメダル排出口に向って自動的に移動することができる。
【手続補正６】
【補正対象書類名】明細書
【補正対象項目名】０００９
【補正方法】変更
【補正の内容】
【０００９】
さらに、請求項３記載のように発明を構成することにより、メダル排出口を所要の方向に自由に向けることができる。
【手続補正７】
【補正対象書類名】明細書
【補正対象項目名】００１０
【補正方法】変更
【補正の内容】
【００１０】
さらにまた、請求項４記載の発明では、加撃付勢部材の付勢力に逆い引金を所定限度を越えて引けば、引金発動手段により加撃片と引金との連結が自動的に断たれて、加撃付勢部材の付勢力でもって加撃片の加撃端が、メダル排出口に位置したメダルのメダル面の略中心部を加撃し、メダルが旋回した状態で発射される。
【手続補正８】
【補正対象書類名】明細書
【補正対象項目名】００１１
【補正方法】変更
【補正の内容】
【００１１】
請求項５記載の発明では、引金スプリングのバネ力に逆い、引金を引いた際に、引金発動手段が発動する以前に、引金を引く力を抜いた場合には、引金スプリングのバネ力による引金の戻りが引金節度手段で阻止され、さらに引金を引いて引金発動手段が発動した場合には、引金スプリングのバネ力により前記引金は引金操作以前の位置に自動的に復帰することができる。
【手続補正９】
【補正対象書類名】明細書
【補正対象項目名】００１２
【補正方法】変更
【補正の内容】
【００１２】
請求項６記載の発明において、引金に何等の引金操作が働かない状態では、加撃片に接する弾性部材のバネ力により、加撃片の加撃端はメダル収納部底面からメダル排出口に突出しないため、発射されたメダルに隣接する次のメダルは、加撃片の加撃端に係止されずに所定の排出口に確実に移動することができる。
【手続補正１０】
【補正対象書類名】明細書
【補正対象項目名】００１３
【補正方法】変更
【補正の内容】
【００１３】
請求項７記載の発明では、メダル旋回発射装置から発射されて立った状態でメダルプレー面部材上にてメダルが旋回することができ、このメダルがプレー面部材の所定の目標箇所に到達した場合には、検出手段でこのことが検出される。
【手続補正１１】
【補正対象書類名】明細書
【補正対象項目名】００１４
【補正方法】変更
【補正の内容】
【００１４】
請求項８記載の発明では、メダル除去機構によりプレー面部材上に載置されたメダルが除去されるため、メダル旋回発射装置からプレー面部材上にメダルを何枚も発射しても、プレー面部材上のメダルに邪魔されずに旋回することができる。
【手続補正１２】
【補正対象書類名】明細書
【補正対象項目名】００１５
【補正方法】変更
【補正の内容】
【００１５】
請求項９記載の発明では、メダル旋回発射装置からプレー面部材上に発射されたメダルは、立った状態で鉛直線を中心に旋回することができ、プレー面部材上の所定目標箇所に到達した場合には、検出手段により、そのことが検出される。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００４３
【補正方法】変更
【補正の内容】
【００４３】
さらに前記銃底53の先端部に後記加撃部71の加撃部71ａが遊嵌しうる孔53ｂが形成されるとともに、長孔53ａと孔53ｂとの間の右側にセンサ取付け切欠き53ｃが形成されている。しかも前記左方のメダルガイド54の内側縁に突起54ａが形成され、前記右方のメダルガイド54の内側縁に切欠き54ｂが形成されるとともにセンサ取付け切欠き54ｃが形成されている。
【手続補正２１】
【補正対象書類名】明細書
【補正対象項目名】００４６
【補正方法】変更
【補正の内容】
【００４６】
さらに引金61のラチェット歯61ｂに隣接して銃床52にラチェット爪65が枢支され、図１３および図２０においてラチェット爪65がラチェット歯61ｂに係止するように、銃床52と一体のピン26とラチェット爪65とに引張コイルスプリング67が張設されており、このラチェット歯61ｂとラチェット爪65とで、引金節度機構68が構成されるようになっている。